(57)【要約】      （修正有）【課題】各種マルチメディアモバイル機器の機能を備えたスマートフォン・ディスプレイの画面転送コントロール装置を提供する。【解決手段】携帯電話常駐デバイスドライバとディスプレイ常駐デバイスドライバを備え、携帯電話のディスプレイ画面は、必要なバーチャル画面となるまで等倍率拡大をおこなう。さらに、定時に、画面を一部圧縮するか、全圧縮して、メモリバッファに保存し、有線または無線を用いて即時に解像度を変えないかあげて、別のディスプレイに伝送した後、解凍し、拡大した実画面にして表示及び再生を行う。携帯電話側は同時に、ディスプレイ側からのコマンドを受信し関連作業をおこない、同時に、同一画面を携帯電話側とディスプレイ側のモニタ上に表示し、画面の同時表示と、同時受信動作を提供する。【選択図】図１
0003172006.tif 000002
【実用新案登録請求の範囲】
【請求項１】
ディスプレイ側と携帯電話側内にそれぞれ、即時及び同時コミュニケーションをおこなうデバイスドライバにより構成されるスマートフォン・ディスプレイの画面転送コントロール装置において、
ディスプレイ側のコントロール装置内部に設けたディスプレイ常駐デバイスドライバには、即時オペレーティングシステムと、ＴＣＰ／ＩＰ通信プロトコルと、ＵＳＢ及びホスト機器通信プロトコルと、ネットワーク及び表示サーバーと、携帯電話駆動及び連絡処理プログラムと、を含み、
前記即時オペレーティングシステムは、ＴＣＰ／ＩＰ通信プロトコルと、ＵＳＢ及びホスト機器通信プロトコルと、ブルートゥース及びホスト機器通信プロトコルと、ネットワーク及び表示サーバーと、携帯電話駆動及び連絡処理プログラムと等のモジュールの管理、協調をおこない、並びに、携帯電話側とディスプレイ側と間の画像フレーム表示時間差を制御し、
前記ＴＣＰ／ＩＰ通信プロトコルは、即ち、ネットワーク通信プロトコルのロジック層合計６階層であり、
前記ＵＳＢ及びホスト機器通信プロトコルにおいて、ヒューマンインタフェースは、ディスプレイ側との有線での通信プロトコル及びハブ（Ｈｕｂ）の使用分配管理を行い、
前記ネットワーク及び表示サーバーは、ネットワークを利用して、携帯電話側ですでにパケット圧縮したバーチャル画面をディスプレイ側に転送し解凍した後、バーチャルディスプレイ駆動プログラムを利用して複製保存をし、さらに、携帯電話側が要求する解像度に基づいて、等倍率拡大をおこない、モニタの実画面上に映し出す管理と制御をおこない、
前記携帯電話駆動及び連絡処理プログラムは、ディスプレイ側に外付けした入力機器作業、外付けしたフラッシュメモリーでのダウンロード及び保存、或いはＳＤカードのデータ変換をすべて同時に携帯電話側に転送し、
携帯電話側の携帯電話本体内部に設けた携帯電話常駐デバイスドライバには、常駐探知作業と、ヒューマンインタフェースリモートコントロールと、ヒューマンインタフェース装置−ディスク処理リモートコントロール受信と、ディスプレイ解像度制御と、機能切替管理リモートコントロール受信と、バーチャルディスプレイ駆動プログラムと、を含み、
前記常駐探知作業は、入力機器の動作を探知し確認し、
前記ヒューマンインタフェースリモートコントロールは、ディスプレイ側のヒューマンインタフェース装置からの関連コマンド動作を受信、処理し、同時に、携帯電話ディスプレイ上に表示し、
前記ヒューマンインタフェース装置−ディスク処理リモートコントロール受信は、ハードディスクドライブの差込みや抜取り動作を探知し確認した後、ディスクデータの保存管理を実行し、
前記ディスプレイ解像度制御は、ディスプレイ側に転送したい携帯電話側のバーチャル画面の解像度をあげるか、変えない制御を実行し、
前記機能切替管理リモートコントロール受信は、ディスプレイ側からのコマンドを受信し、リモートコントロールで、異なる機能への切り替えをおこなったり同時実行させ、
前記バーチャルディスプレイ駆動プログラムは、ディスプレイ側に転送したい携帯電話の画面を、バーチャル方式で等倍率拡大をし、定時にバーチャル画面を一部圧縮、或いは全圧縮してメモリのバッファ内に保存し、その後、即時に、ネットワーク及び表示サーバーを通してディスプレイ側に転送する、ことを特徴とし、
前述のとおり、ディスプレイ側に搭載したディスプレイ常駐デバイスドライバ及び携帯電話側に搭載した携帯電話常駐デバイスドライバは、携帯電話のディスプレイ画面を必要なバーチャル画面に等倍率拡大し、並びに、定時に、画面を一部圧縮或いは全圧縮して、メモリのバッファに保存し、有線を用いて、即時に解像度を変化させたりあげることなく別のディスプレイに転送した後、解凍し、拡大した実画面を表示、再生し、尚且つ、携帯電話側は、同時に、ディスプレイ側からのコマンドを受信して関連作業を実行し、携帯側とディスプレイ側のモニタ上に同一画面を同時に表示し、画面の同時表示と同時受信を提供し、一つの装置で複数の用途を備えた装置として応用するスマートフォン・ディスプレイの画面転送コントロール装置。
【請求項２】
前記ディスプレイ側は、ＬＣＤディスプレイ、超小型プロジェクタで投影するスクリーン、Ｉｐａｄ、ノートブックパソコンのディスプレイのいずれかとすることを特徴とする請求項１に記載のスマートフォン・ディスプレイの画面転送コントロール装置。
【請求項３】
前記ＴＣＰ／ＩＰ通信プロトコルのロジック層は合計６層とし、設けたなら使用し、使用しない余分なものは、メモリ空間の無駄を防ぐために削除することを特徴とする請求項１に記載のスマートフォン・ディスプレイの画面転送コントロール装置。
【請求項４】
前記ＵＳＢ及びホスト機器通信プロトコルにおいて、ヒューマンインタフェースの入力機器は、キーボード、マウス、タッチ制御、ハードディスクドライブとすることを特徴とする請求項１に記載のスマートフォン・ディスプレイの画面転送コントロール装置。
【請求項５】
前記常駐探知作業の入力探知装置は、キー、カーソル、タッチ制御、ハードディスクドライブの差込みや抜取り動作とすることを特徴とする請求項１に記載のスマートフォン・ディスプレイの画面転送コントロール装置。
【請求項６】
前記ヒューマンインタフェースリモートコントロールは、キーボード、マウス、タッチパネルであるディスプレイ側のヒューマンインタフェース装置から受信することを特徴とする請求項１に記載のスマートフォン・ディスプレイの画面転送コントロール装置。
【請求項７】
前記ＵＳＢ及びホスト機器通信プロトコルは、ブルートゥース及びホスト機器通信プロトコルによって代替し、有線方式を無線方式に変更して伝送及びコミュニケーションをおこなうことも可能であり、操作制御及び携帯の方便性を備えることを特徴とする請求項１に記載のスマートフォン・ディスプレイの画面転送コントロール装置。
【請求項８】
前記バーチャルディスプレイ駆動プログラムの主要機能において、
バーチャル表示インタフェースは、動態解像度の切り替え、複数の表示装置の切り替えを提供し、
バーチャルハードウェア表示インタフェースは、模擬ハードウェアシステム機能を呼び出し模擬表示インタフェースに変換し、表示したバーチャル画面をバーチャル表示メモリ内に作成し、
ミラーリングモードと、バーチャル表示と、リモート表示とを備えるバーチャル表示画面バッファキャッシュ制御において、
前記ミラーリングモードは、定時に、携帯電話の画面を保存し、
前記バーチャル表示は、主メモリがバーチャル表示画像フレームを割り当て、伝送メモリバッファを区分けし、
前記リモート表示は、静態の画面または動態の影像に基づき、バーチャル画像フレームメモリまたは主表示メモリを圧縮源とし、
画面バッファ圧縮は、定時に、携帯電話の画面の変更部分を圧縮するか携帯電話の画面全部を圧縮し、
バーチャル画面パケット圧縮とネットワーク伝送は、圧縮した携帯電話の画面データをネットワークを用いて遠方の受信端に伝送する、ことを特徴とする請求項１に記載のスマートフォン・ディスプレイの画面転送コントロール装置。
【考案の詳細な説明】
【技術分野】
【０００１】
本考案は、携帯電話側をプラットフォームとし、単一のディスプレイ側を組み合わせ、双方側に常駐デバイスドライバを組み込み、各種マルチメディアモバイル機器の機能を備えた技術を提供するスマートフォン・ディスプレイの画面転送コントロール装置に関する。
【背景技術】
【０００２】
一般のスマートフォンの機能は、すでに、ノートブックパソコン（ＮｏｔｅＢｏｏｋ  ＰＣ）レベルまで発展を遂げており、さらに発展が続く中、電子書籍、デジタルカメラ、ナビゲータ等のその他のパーソナル機器の機能を整合する域にまで至っている。電信業者は、携帯電話に対して、元来の言語サービスだけでなく、ワイマックス等の付加価値サービスをはじめている。また、携帯電話のプラットフォーム業者であるＭｉｃｒｏｓｏｆｔ、Ｇｏｏｇｌｅ、Ａｐｐｌｅ、Ｂｌａｃｋｂａｒｙ等は、次々に、機能をさらにアップさせたＷＰ７．、Ａｎｄｒｏｉｄ等のオペレーティングシステムを推進し、ノートブックパソコン、携帯電話、テレビ等の機器すべてに、一つのプラットフォームを共用させ、同時動作を行わせている。よって、スマートフォンは既に、単なる携帯電話ではなく、多機能化したモバイル機器であり、現代生活の中では、不可欠な絶対必要な道具と化した。
【０００３】
しかし、スマートフォンは、携帯における便利性を備えているため、設計上に、体積や重量が大きすぎず重すぎないことを考慮しなければならない（現在、ディスプレイの最大は４．３インチ）。そのため、データの閲覧やマルチメディア機能の使用では眼に負担がかかり、しかも、実物のキーボードがないため、携帯電話内に搭載したスクリーンキーボードで入力を行わなければならず、入力速度はおそく、反作用力が大きいために指が痛くなり、人体工学に符合しないものである。そこで、将来のモバイルオフィス及びマルチメディアモバイル機器に玉に瑕となる従来技術に対し、本考案は、その不足点を補い、一機多機能効果を達成する。
【考案の概要】
【考案が解決しようとする課題】
【０００４】
現在ある類似商品の機能は、静態文書の画像を表示できるだけであり、マルチメディアの再生は実行できない。そこで、本考案の無線伝送技術には、ブルートゥース及びワイファイ（Ｗｉｒｅｌｅｓｓ  Ｆｉｄｅｌｉｔｙ）を同時に利用し、動態の映像を確実に再生する。また、前記類似商品の外観は、ノートブックの如く厚みや重量もあり携帯に不便であるが、本考案のディスプレイは、タブレットパソコンの外観の如く軽く携帯に便利で、マルチメディア再生を可能とする。
【課題を解決するための手段】
【０００５】
本考案は、コントロール装置内にディスプレイ常駐デバイスドライバを設けたディスプレイ側において、該ディスプレイ常駐デバイスドライバには、各モジュールの管理と協調を行い、尚且つ、両側間的画像フレーム表示時間差を制御する即時オペレーティングシステムと、ネットワーク通信プロトコルのロジック層のティーシーピー／アイピー通信プロトコルと、ヒューマンインタフェース装置がディスプレイ側との有線通信プロトコル及びハブ（Ｈｕｂ）の使用分配管理を行うＵＳＢ及びホスト機器通信プロトコルと、ネットワークにより携帯電話側がすでにパケット圧縮したバーチャル画面をディスプレイ側に転送し解凍した後、バーチャルディスプレイ駆動プログラムを用いて複製保存をおこない、さらに、携帯電話側が要求する解像度に基づき等倍率拡大を行い、現在のモニタの実画面に映し出すことを管理、制御するネットワーク及び表示サーバーと、ディスプレイ側に外付けした入力機器の作業時に、同時に携帯電話側に転送し、尚且つ、外付けしたフラッシュメモリによるダウンロード及び保存時、或いは、ＳＤカードデータの携帯電話側への転送時に処理をおこなう携帯電話駆動及び連絡処理プログラムと、を備える。
【０００６】
携帯電話本体内に携帯電話常駐デバイスドライバを設けた携帯電話側において、該携帯電話常駐デバイスドライバには、探知入力機器の動作確認を行う常駐探知作業と、ディスプレイ側からのヒューマンインタフェース装置関連コマンドの動作処理を受信し、並びに、携帯電話ディスプレイに同時表示するヒューマンインタフェースリモートコントロールと、ハードディスクドライブの差込みや抜取り動作を探知、確認した後、ディスクデータの保存管理を行うヒューマンインタフェース装置−ディスク処理リモートコントロール受信と、ディスプレイ側のバーチャル画面に伝送し解像度をあげたり解像度を変えずに制御するディスプレイ解像度制御と、ディスプレイ側からのコマンドを受信し携帯電話側をリモートコントロールし、異なる機能への切り替えをおこなったり同時実行させる機能切替管理リモートコントロール受信と、バーチャル方式でディスプレイ側に送りたい携帯電話の画面を等倍率拡大し、尚且つ、定時にバーチャル画面を一部圧縮、或いは全圧縮してメモリのバッファ内に保存し、さらに即時に、ネットワーク及び表示サーバーを通してディスプレイ側に転送するバーチャルディスプレイ駆動プログラムと、を含む。
【０００７】
携帯電話常駐デバイスドライバとディスプレイ常駐デバイスドライバを通して、携帯電話ディスプレイ画面は、必要なバーチャル画面に等倍率拡大され、定時に画面を部分圧縮または全圧縮してメモリのバッファに保存し、有線を利用して、即時に解像度を変化させないか解像度をあげて、別のディスプレイに伝送した後、解凍し、拡大した実画面の表示及び再生を行う。それと同時に、携帯電話側もディスプレイ側からのコマンドを受信し関連作業を実行し、同一画面を携帯電話側とディスプレイ側のモニタ上に同時表示する。また、ディスプレイ側に外付けしたタッチコントロール装置は、タブレットパソコンのようである。即ち、いずれかの必要なディスプレイに表示したり、映像の再生をおこなうモバイル機器の機能を備えたものとなる。即ち、一つの装置に複数装置の用途を有し、尚且つ、コスト削減を実現し、便利性を備えたものである。便利性についてであるが、使用者が外出や旅行、或いは出張時には、本考案を結合させたスマートフォンを持っていくだけで、関連する要求は満たされ、多くのモバイル機器の所持は不要である。また、一機で多機能を備えた特徴により、使用者はその他モバイル機器の購入費用を節約できる。
【０００８】
本考案のディスプレイ常駐デバイスドライバでは、ブルートゥース及びホスト機器通信プロトコルがＵＳＢ及びホスト機器通信プロトコルを代替する。該ブルートゥース及びホスト機器通信プロトコルは、ヒューマンインタフェースの入力機器とディスプレイ側との無線による通信プロトコル及びハブ（Ｈｕｂ）の使用分配管理をおこなう。有線方式を無線方式に変えて伝送及びコミュニケーションに使用でき、便利な操作制御及び携帯を提供する。
【考案の効果】
【０００９】
本考案のスマートフォン・ディスプレイの画面転送コントロール装置は、携帯電話側をプラットフォームとし、単一のディスプレイ側を組み合わせ、双方側に常駐デバイスドライバを組み込むため、各種マルチメディアモバイル機器の機能を備えるという特徴をもつ。
【図面の簡単な説明】
【００１０】
【図１】本考案の概略図である。
【図２】本考案のディスプレイ常駐ドライバのブロック図である。
【図３】本考案の携帯電話常駐ドライバのブロック図である。
【図４】本考案のバーチャルディスプレイ駆動プログラムの主要機能に関するブロック図である。
【図５】本考案のＰＣ  Ｌｉｎｕｘ化の実施例図である。
【図６】本考案の解像度を拡大した実施例図である。
【図７】本考案に関し、映像ファイルを有線伝送している実施例図である。
【図８】本考案に関し、映像ファイルを無線伝送している実施例図である。
【考案を実施するための形態】
【００１１】
以下、添付図面を参照して本考案の実施の形態を詳細に説明する。
【実施例】
【００１２】
図１、図２、図３、図４に示すとおり、ディスプレイ側１と携帯電話側２内にはそれぞれ、即時及び同時コミュニケーションのデバイスドライバを搭載する。前記ディスプレイ側１には、コントロール装置内部にディスプレイ常駐デバイスドライバ１２（Ｓｃｒｅｅｎ  Ｒｅｓｉｄｅｎｔ  Ｄｅｖｉｃｅ  Ｄｒｉｖｅｒ）を設ける。ＬＣＤディスプレイ、超小型プロジェクタの投影したスクリーン、アイパッド（Ｉｐａｄ）やノートブックパソコンのディスプレイ等とすることも可能であり、それは、図２で示したとおり、即時オペレーティングシステム１２１と、ＴＣＰ／ＩＰ通信プロトコル１２２と、ＵＳＢ及びホスト機器通信プロトコル１２３と、ネットワーク及び表示サーバー１２４と、携帯電話駆動及び連絡処理プログラム１２５と、ブルートゥース及びホスト機器通信プロトコル１２６とを含む。
【００１３】
前記即時オペレーティングシステム１２１は、ＴＣＰ／ＩＰ通信プロトコル１２２、ＵＳＢ及びホスト機器通信プロトコル１２３、ブルートゥース及びホスト機器通信プロトコル１２６、ネットワーク及び表示サーバー１２４、携帯電話駆動及び連絡処理プログラム１２５等のモジュールの管理、協調を行う責任があり、並びに、携帯電話側２とディスプレイ側１間の画像フレーム表示時間差を制御し、遅延時間を５マイクロ秒以内とする。
【００１４】
前記ＴＣＰ／ＩＰ通信プロトコル１２２は、即ち、ネットワーク通信プロトコルのロジック層合計６層であり、設けたのなら使用し、使用しない余分なものは、メモリ空間の無駄を防ぐために削除する。
【００１５】
前記ＵＳＢ及びホスト機器通信プロトコル１２３において、ヒューマンインタフェースは、キーボード／マウス／タッチ制御／ハードディスクドライブ等の入力機器とし、ディスプレイ側１との有線での通信プロトコル及びハブ（Ｈｕｂ）の使用分配管理を行う。
【００１６】
前記ネットワーク及び表示サーバー１２４は、ネットワークを利用して、携帯電話側２ですでにパケット圧縮したバーチャル画面２３をディスプレイ側１に転送し解凍した後、バーチャルディスプレイ駆動プログラム２２６を利用して複製保存をし、さらに、携帯電話側２が表示を要求した解像度に基づいて、等倍率拡大をおこない、モニタ１１の実画面１１１上に映し出す管理と制御をおこなう。
【００１７】
前記携帯電話駆動及び連絡処理プログラム１２５は、ディスプレイ側１に外付けしたキーボードでの入力、或いは外付けしたマウスでの作業時のいずれにおいても、同時に携帯電話側２に転送できる。また、ディスプレイ側１に外付けしたフラッシュメモリーでのダウンロード及び保存時、或いはＳＤ（Ｓｅｃｕｒｅ  Ｄｉｇｉｔａｌ）カードのデータを変換して携帯電話側２に転送処理する場合も同様である。
【００１８】
前記ブルートゥース及びホスト機器通信プロトコル１２６において、ヒューマンインタフェースは、キーボード／マウス／タッチ制御／ハードディスクドライブ等の入力機器とし、ディスプレイ側１との無線通信プロトコル及びハブ（Ｈｕｂ）の使用分配管理をおこなう。
【００１９】
また、携帯電話側２は、携帯電話本体内部に携帯電話常駐デバイスドライバ２２（Ｍｏｂｉｌｅｐｈｏｎｅ  Ｒｅｓｉｄｅｎｔ  Ｄｅｖｉｃｅ  Ｄｒｉｖｅｒ）を備え、それは、図３に示すとおり、常駐探知作業２２１と、ヒューマンインタフェースリモートコントロール２２２と、ヒューマンインタフェース装置−ディスク処理リモートコントロール受信２２３と、ディスプレイ解像度制御２２４と、機能切替管理リモートコントロール受信２２５と、バーチャルディスプレイ駆動プログラム２２６とを備える。
【００２０】
前記常駐探知作業２２１（Ｒｅｓｉｄｅｎｔ  Ｄｅｔｅｃｔ  Ｏｐｅｒａｔｉｏｎ  Ｓｅｒｖｉｃｅ）は、キー／カーソル／タッチ制御／ハードディスクドライブの差込みや抜取り等の入力機器の動作を探知し確認する。
【００２１】
前記ヒューマンインタフェースリモートコントロール２２２（Ｒｅｍｏｔｅ  ＨＩＤ−ｋｂ／Ｍｏｕｓｅ／Ｔｏｕｃｈｓｃｒｅｅｎ）は、ディスプレイ側１のヒューマンインタフェース装置から、キーボード／マウス／タッチパネル等の関連コマンド動作を受信、処理し、同時に、携帯電話ディスプレイ２１上に表示する。
【００２２】
前記ヒューマンインタフェース装置−ディスク処理リモートコントロール受信２２３（Ｒｅｍｏｔｅ  ＨＩＤ−Ｄｉｓｋ）は、ハードディスクドライブの差込みや抜取り動作を探知し確認した後、ディスクデータの保存管理を実行する。
【００２３】
前記ディスプレイ解像度制御２２４（Ｄｉｓｐｌａｙ  Ｒｅｓｏｌｕｔｉｏｎ  Ｃｏｎｔｒｏｌ）は、ディスプレイ側１に転送したい携帯電話側２のバーチャル画面２３の解像度をあげるか、変えない制御を実行する。
【００２４】
前記機能切替管理リモートコントロール受信２２５（Ｒｅｍｏｔｅ  Ｔｒａｎｓａｃｔｉｏｎ  Ｅｖｅｎｔ  Ｈａｎｄｌｅｒ）は、ディスプレイ側１からのコマンドを受信し、タッチ制御或いはキー方式で携帯電話側２をリモートコントロールし、異なる機能への切り替えをおこなったり同時実行させる。
【００２５】
前記バーチャルディスプレイ駆動プログラム２２６（Ｖｉｒｔｕａｌ  Ｄｉｓｐｌａｙ  Ｄｒｉｖｅｒ）は、ディスプレイ側１に転送したい携帯電話の画面２１を、バーチャル方式で等倍率拡大をし、定時にバーチャル画面２３を一部圧縮、或いは全圧縮してメモリのバッファ内に保存し、その後、即時に、ネットワーク及び表示サーバー１２４を通してディスプレイ側１に転送する。このような構造により、両側ディスプレイ画面の同時表示、及び両側コマンド動作の同時受信を行なう使用効果を達成する。
【００２６】
図１、図５〜図８に示した本考案の実施例のとおり、携帯電話側２は、Ｗｉｎ  ｍｏｂｉｌｅスマートフォンをプラットフォームとして、ディスプレイ側１のＬＣＤディスプレイ或いはノートブックパソコンのディスプレイに組み合わせる。また、それぞれのディスプレイコントロール装置及び携帯電話本体に、ディスプレイ常駐デバイスドライバ１２及び携帯電話常駐デバイスドライバ２２を搭載し、携帯電話常駐デバイスドライバ２２の常駐探知作業２２１、ディスプレイ解像度制御２２４、バーチャルディスプレイ駆動プログラム２２６を通して、携帯電話の画面２１を必要なバーチャル画面２３に等倍率拡大し、並びに、定時に、画面を一部圧縮或いは全圧縮して、メモリバッファに保存し、さらに、ディスプレイ常駐デバイスドライバ１２の即時オペレーティングシステム１２１、ＴＣＰ／ＩＰ通信プロトコル１２２、ＵＳＢ及びホスト機器通信プロトコル１２３、ネットワーク及び表示サーバー１２４、携帯電話駆動及び連絡処理プログラム１２５を経て、有線方式を用いて、即時にモニタ１１に転送した後、解凍し、拡大した実画面１１１にする。こうして、携帯電話側２からの任意のファイルフォーム及び再生映像画面を同時表示する。解像度を変化させたり高くすることなく（図１参照）、画面にエイリアシングを発生させず、良好な鮮明度を示す使用効果を奏する。また、携帯電話常駐デバイスドライバ２２の常駐探知作業２２１、ヒューマンインタフェースリモートコントロール２２２、ヒューマンインタフェース装置−ディスク処理リモートコントロール受信２２３、機能切替管理リモートコントロール受信２２５、及びディスプレイ常駐デバイスドライバ１２の即時オペレーティングシステム１２１、ＴＣＰ／ＩＰ通信プロトコル１２２、ＵＳＢ及びホスト機器通信プロトコル１２３、携帯電話駆動及び連絡処理プログラム１２５を通して、携帯電話側２もまた、ディスプレイ側１のコマンドを同時受信し、関連作業をおこない、同一画面を携帯電話側２とディスプレイ側１のモニタ１１上に同時表示する。本考案は、キーボード、キー、マウス、カーソル、ハードディスクドライブ等を用い、ディスプレイ側１にタッチコントロール装置を外付けしたなら、タブレットパソコンの如くものとなる。即ち、いずれかの必要なディスプレイに表示したり、映像の再生をおこなえるモバイル機器の機能を備えたものとなる。機能には、例えば、ポータブルナビゲーションデバイス（ＰＮＤ）、デジタルピクチャフレーム（ＤＰＦ）、電子書籍（ｅ−ｂｏｏｋ）、ネットブック（ｎｅｔｂｏｏｋ）、タブレットパソコン（Ｔａｂｌｅｔ）、テレビ等があげられ、一つの装置に複数装置の機能を備えさせ、携帯電話側のディスプレイ画面を転送したり二方向操作を行う実際の効果を提供する。
【００２７】
図５は、Ｗｉｎ  ＸＰ環境をＰＣ  Ｌｉｎｕｘ環境に変換した模擬実験である。よって、両環境のいずれにも対応するネットワーク及び表示サーバー１２４の機能と、対応するディスプレイ常駐デバイスドライバ１２の機能を発揮しなければならない。
【００２８】
図６は、Ｗｉｎ  ＸＰ環境において、Ｗｉｎ  Ｍｏｂｉｌｅ携帯電話を利用してバーチャルディスプレイ駆動プログラム２２６を組み入れ、解像度を３２０×２４０から８００×６００に拡大し、電子書籍の解像度に符合させた図である。
【００２９】
図７は、有線伝送方式による映像ファイル再生のテスト図である。
【００３０】
前述のディスプレイ常駐デバイスドライバ１２中のＵＳＢ及びホスト機器通信プロトコル１２３を、ブルートゥース及びホスト機器通信プロトコル１２６に替え、有線方式から無線方式に変更して伝送及びコミュニケーションを行うことが可能である。これによって、操作制御と携帯の方便性を備えた効果を提供する。
【００３１】
図８は、無線伝送方式による映像ファイル再生のテスト図である。図４に示した前述のバーチャルディスプレイ駆動プログラム２２６を参照する。そのうち、主な機能には、バーチャル表示インタフェースと、バーチャルハードウェア表示インタフェースと、バーチャル表示画面バッファキャッシュ制御と、画面バッファ圧縮と、バーチャル画面パケット圧縮とネットワーク伝送とを含む。
【００３２】
前記バーチャル表示インタフェースは、元来の表示インタフェースが提供できなかった機能を提供する。それは、例えば、動態解像度の切り替え、複数の表示装置の切り替え等を含む。
【００３３】
前記バーチャルハードウェア表示インタフェースは、模擬ハードウェアシステム機能を呼び出し模擬表示インタフェースに変換し、表示バーチャル画面２３をバーチャル表示メモリ内に書き込む。
【００３４】
前記バーチャル表示画面バッファキャッシュ制御において、
（１）ミラーリングモードは、定時に、携帯電話の画面２１を保存する。
（２）バーチャル表示は、主メモリがバーチャル表示画像フレームを割り当て、伝送メモリバッファを区分けする。
（３）リモート表示は、静態画面または動態影像に基づき、バーチャル画像フレームメモリまたは主表示メモリを圧縮源とする。
【００３５】
前記画面バッファ圧縮は、定時に、携帯電話の画面２１の変更部分を圧縮するか携帯電話の画面２１全部を圧縮する。
【００３６】
前記バーチャル画面パケット圧縮とネットワーク伝送は、圧縮した携帯電話の画面２１データをネットワークを用いて遠方の受信端に伝送する。
【符号の説明】
【００３７】
１          ディスプレイ側              
１１      モニタ
１１１  実画面
１２      ディスプレイ常駐デバイスドライバ
１２１  即時オペレーティングシステム
１２２  ＴＣＰ／ＩＰ通信プロトコル
１２３  ＵＳＢ及びホスト機器通信プロトコル
１２４  ネットワーク及び表示サーバー
１２５  携帯電話駆動及び連絡処理プログラム
１２６  ブルートゥース及びホスト機器通信プロトコル
２          携帯電話側
２１      携帯電話ディスプレイ
２２      携帯電話常駐デバイスドライバ
２２１  常駐探知作業
２２２  ヒューマンインタフェースリモートコントロール
２２３  ヒューマンインタフェース装置−ディスク処理リモートコントロール受信
２２４  ディスプレイ解像度制御
２２５  機能切替管理リモートコントロール受信
２２６  バーチャルディスプレイ駆動プログラム
２３      バーチャル画面
【図１】
0003172006.tif 000003
【図２】
0003172006.tif 000004
【図３】
0003172006.tif 000005
【図４】
0003172006.tif 000006
【図５】
0003172006.tif 000007
【図６】
0003172006.tif 000008
【図７】
0003172006.tif 000009
【図８】
0003172006.tif 000010
【手続補正書】
【提出日】平成23年9月26日(2011.9.26)
【手続補正１】
【補正対象書類名】明細書
【補正対象項目名】００１０
【補正方法】変更
【補正の内容】
【００１０】
【図１】本考案の概略図である。
【図２】本考案のディスプレイ常駐ドライバのブロック図である。
【図３】本考案の携帯電話常駐ドライバのブロック図である。
【図４】本考案のバーチャルディスプレイ駆動プログラムの主要機能に関するブロック図である。
【図５】本考案のＰＣ  Ｌｉｎｕｘ（登録商標）化の実施例図である。
【図６】本考案の解像度を拡大した実施例図である。
【図７】本考案に関し、映像ファイルを有線伝送している実施例図である。
【図８】本考案に関し、映像ファイルを無線伝送している実施例図である。
【手続補正２】
【補正対象書類名】明細書
【補正対象項目名】００１２
【補正方法】変更
【補正の内容】
【００１２】
図１、図２、図３、図４に示すとおり、ディスプレイ側１と携帯電話側２内にはそれぞれ、即時及び同時コミュニケーションのデバイスドライバを搭載する。前記ディスプレイ側１には、コントロール装置内部にディスプレイ常駐デバイスドライバ１２（Ｓｃｒｅｅｎ  Ｒｅｓｉｄｅｎｔ  Ｄｅｖｉｃｅ  Ｄｒｉｖｅｒ）を設ける。ＬＣＤディスプレイ、超小型プロジェクタの投影したスクリーン、アイパッド（登録商標）（Ｉｐａｄ）やノートブックパソコンのディスプレイ等とすることも可能であり、それは、図２で示したとおり、即時オペレーティングシステム１２１と、ＴＣＰ／ＩＰ通信プロトコル１２２と、ＵＳＢ及びホスト機器通信プロトコル１２３と、ネットワーク及び表示サーバー１２４と、携帯電話駆動及び連絡処理プログラム１２５と、ブルートゥース及びホスト機器通信プロトコル１２６とを含む。
【手続補正３】
【補正対象書類名】明細書
【補正対象項目名】００２６
【補正方法】変更
【補正の内容】
【００２６】
図１、図５〜図８に示した本考案の実施例のとおり、携帯電話側２は、Ｗｉｎ  ｍｏｂｉｌｅスマートフォンをプラットフォームとして、ディスプレイ側１のＬＣＤディスプレイ或いはノートブックパソコンのディスプレイに組み合わせる。また、それぞれのディスプレイコントロール装置及び携帯電話本体に、ディスプレイ常駐デバイスドライバ１２及び携帯電話常駐デバイスドライバ２２を搭載し、携帯電話常駐デバイスドライバ２２の常駐探知作業２２１、ディスプレイ解像度制御２２４、バーチャルディスプレイ駆動プログラム２２６を通して、携帯電話の画面２１を必要なバーチャル画面２３に等倍率拡大し、並びに、定時に、画面を一部圧縮或いは全圧縮して、メモリバッファに保存し、さらに、ディスプレイ常駐デバイスドライバ１２の即時オペレーティングシステム１２１、ＴＣＰ／ＩＰ通信プロトコル１２２、ＵＳＢ及びホスト機器通信プロトコル１２３、ネットワーク及び表示サーバー１２４、携帯電話駆動及び連絡処理プログラム１２５を経て、有線方式を用いて、即時にモニタ１１に転送した後、解凍し、拡大した実画面１１１にする。こうして、携帯電話側２からの任意のファイルフォーム及び再生映像画面を同時表示する。解像度を変化させたり高くすることなく（図１参照）、画面にエイリアシングを発生させず、良好な鮮明度を示す使用効果を奏する。また、携帯電話常駐デバイスドライバ２２の常駐探知作業２２１、ヒューマンインタフェースリモートコントロール２２２、ヒューマンインタフェース装置−ディスク処理リモートコントロール受信２２３、機能切替管理リモートコントロール受信２２５、及びディスプレイ常駐デバイスドライバ１２の即時オペレーティングシステム１２１、ＴＣＰ／ＩＰ通信プロトコル１２２、ＵＳＢ及びホスト機器通信プロトコル１２３、携帯電話駆動及び連絡処理プログラム１２５を通して、携帯電話側２もまた、ディスプレイ側１のコマンドを同時受信し、関連作業をおこない、同一画面を携帯電話側２とディスプレイ側１のモニタ１１上に同時表示する。本考案は、キーボード、キー、マウス、カーソル、ハードディスクドライブ等を用い、ディスプレイ側１にタッチコントロール装置を外付けしたなら、タブレットパソコンの如くものとなる。
即ち、いずれかの必要なディスプレイに表示したり、映像の再生をおこなえるモバイル機器の機能を備えたものとなる。機能には、例えば、ポータブルナビゲーションデバイス（ＰＮＤ）、デジタルピクチャフレーム（ＤＰＦ）、電子書籍（ｅ−ｂｏｏｋ）、ネットブック（ｎｅｔｂｏｏｋ）（登録商標）、タブレットパソコン（Ｔａｂｌｅｔ）、テレビ等があげられ、一つの装置に複数装置の機能を備えさせ、携帯電話側のディスプレイ画面を転送したり二方向操作を行う実際の効果を提供する。
【手続補正４】
【補正対象書類名】実用新案登録請求の範囲
【補正対象項目名】請求項２
【補正方法】変更
【補正の内容】
【請求項２】
前記ディスプレイ側は、ＬＣＤディスプレイ、超小型プロジェクタで投影するスクリーン、Ｉｐａｄ（登録商標）、ノートブックパソコンのディスプレイのいずれかとすることを特徴とする請求項１に記載のスマートフォン・ディスプレイの画面転送コントロール装置。
【手続補正５】
【補正対象書類名】図面
【補正対象項目名】図５
【補正方法】変更
【補正の内容】
【図５】
0003172006.tif 000011
【手続補正６】
【補正対象書類名】図面
【補正対象項目名】図６
【補正方法】変更
【補正の内容】
【図６】
0003172006.tif 000012